(57)【特許請求の範囲】
【請求項１】
座席等のクッションのフレームの直径に等しい直径のプラスチック製の円筒を横にし、下方の側部を軸線に沿って、直径よりも狭い幅で切除し、該切除による間隔部を設けた本体の、前記間隔部の一方の縁に連続し、本体の外面に沿って立ち上がった爪部を設け、前記本体外面と前記爪部とでＳバネの端部を挿入しうる湾入部を形成し、前記本体の内面に、前記フレームに設けた孔に挿入または嵌入できる突部を、前記間隔部の爪部を設けた側の縁との間隔の円弧の長さが、他方の縁との間の円弧の長さよりも短い位置にあり、かつ、本体の軸線方向に突出して設けてなるフックであって、前記フックの２個のそれぞれの湾入部に前記Ｓバネの両端を個別に挿入係止し、それぞれのフックの本体の間隔部を前記フレームに対向してフックを押し、フック本体内に前記フレームを嵌入させ、前記本体内面の突部を前記フレームの孔に挿入または嵌入させ、前記Ｓバネをフレームに張設することを可能とする座席等のクッションのフレームへの組バネ取付用フック。
【請求項２】
座席等のクッションのフレームの直径に等しい直径のプラスチック製の円筒を横にし、下方の側部を軸線に沿って、直径よりも狭い幅で切除し、該切除による間隔部を設けた本体の、前記間隔部の一方の縁に連続し、本体の外面に沿って立ち上がり、その先端部が外方向に上から下方向に曲がり、その曲がり部内面にＳバネの端部を嵌合させて係止可能とする爪部を設け、前記本体の内面に、前記フレームに設けた孔に挿入または嵌入できる突部を、前記間隔部の爪部を設けた側の縁との間隔の円弧の長さが、他方の縁との間の円弧の長さよりも短い位置にあり、かつ、本体の軸線方向に突出して設けてなるフックであって、前記フックの２個のそれぞれの爪部の曲がり部内面側に前記Ｓバネの両端を個別に挿入係止し、それぞれのフックの本体の間隔部を前記フレームに対向してフックを押し、フック本体内に前記フレームを嵌入させ、前記本体内面の突部を前記フレームの孔に挿入または嵌入させ、前記Ｓバネをフレームに張設することを可能とする座席等のクッションのフレームへの組バネ取付用フック。
【請求項３】
座席等のクッションのフレームの直径に等しい直径のプラスチック製の円筒を横にし、下方の側部を軸線に沿って、直径よりも狭い幅で切除し、該切除による間隔部を設けた本体の、前記間隔部の一方の縁部外面に該間隔部の縁に平行の突部を設け、該突部に、Ｓバネの端部を挿入しうる前記間隔部の縁に平行の貫通孔を設け、前記本体の内面に、前記フレームに設けた孔に挿入または嵌入できる突部を、前記間隔部の突部を設けた側の縁との間隔の円弧の長さが、他方の縁との間の円弧の長さよりも短い位置にあり、本体の軸線方向に突出して設けてなるフックであって、前記フックの２個のそれぞれの貫通孔に前記Ｓバネの両端を個別に挿入し、それぞれのフックの本体の間隔部を前記フレームに対向してフックを押し、フック本体内に前記フレームを嵌入させ、前記本体内面の突部を前記フレームの孔に挿入または嵌入させ、前記Ｓバネをフレームに張設することを可能とする座席等のクッションのフレームへの組バネ取付用フック。
【発明の詳細な説明】
【０００１】
【発明の属する技術分野】
この発明は、椅子や車の座席、寝台等（以下座席等という）のクッションのフレームへの組バネの取付用フックに関するものである。
【０００２】
【従来の技術】
従来、座席等のクッションは、図７に示すように、鋼線よりなる複数のＳ字バネ１を平行に並べ、それらに中張２を直角に配し、Ｓ字バネ１と中張２とを係止して組バネ３を形成し、組バネ３を鋼製のフレーム４に鋼線よりなるダブルフック５で係止している。
【０００３】
ダブルフック５は、図８に示すように、鋼線の中央部６の両側を同方向、かつ、直角方向に、曲げて曲部７、７を形成し、更に反転させてその平行部８、８とし、その端部を曲げてフック９、９としたものである。
【０００４】
このダブルフック５による組バネ３のフレーム４への係止は図９に示すとおりに行う。
すなわち、フレーム４には、ダブルフック５の２つのフック部９、９の間隔よりも少し狭い間隔で、フック部９の先端部を挿入しうる２つの孔１０、１０が設けられており、Ｓ字バネ１の端部１ａをダブルフック５の曲部７、７内に懸け、２つのフック部９、９を指で押してその間隔を狭めてフレーム４の２つの孔１０、１０の間隔に合わせてフック部９、９の先端部を孔１０、１０に挿入し、指を離すと、フック部９、９に弾力で元の間隔に拡がろうとする力が働き、Ｓ字バネ１とフレーム４とが強く係合する。
【０００５】
【発明が解決しようとする課題】
従来のダブルフックは、鋼線で出来ているので、組バネに体重がかかると金属製のフレームと鋼線よりなるＳ字バネの端部との係止接点における摩擦で、音鳴りがして耳障りである。また、摩擦で摩耗し易く、腐食したり錆たりし、耐久性に問題がある。
更に、ダブルフックとフレームとの係止は、フレームの孔にダブルフックの鋼線のフック部が挿入されているだけであるので、孔の縁部と鋼線との摩擦でフック部が摩耗し、破損し易く、フレームとＳ字バネの係止が損なわれ易すく、耐久性に問題がある。
ダブルフックのフレームへの係止は、指先で２つのフック部の間隔を狭めなければならず、指先に力を必要とする。
【０００６】
この発明は、Ｓ字バネおよびフレームの接触が滑らかで、組バネに体重がかかっても音鳴りがせず、腐食や錆が発生せず、フレームとの係止も確実、強固で、耐久性に優れ、フレームへの取付けも簡単で容易なフックを提供することを目的とする。
【０００７】
【課題を解決するための手段】
座席等のクッションのフレームの直径に等しい直径のプラスチック製の円筒を横にし、下方の側部を軸線に沿って、直径よりも狭い幅で切除し、該切除による間隔部を設けた本体の、前記間隔部の一方の縁部に座席等のクッションの組バネのＳバネの端部の係止部を設け、前記本体の内面に、前記フレームに設けた孔に挿入または嵌入できる突部を設けてフックを形成し、前記フック２個のそれぞれの係止部に前記Ｓバネの両端を個別に係止し、それぞれのフックの本体の間隔部を前記フレームに対向してフックを押し、フック本体内に前記フレームを嵌入させ、前記突部を前記フレームの孔に挿入または嵌入させ、前記Ｓバネをフレームに張設することを可能とする。
【０００８】
前記フック本体の係止部を、本体の間隔部の一方の縁に連続し、本体の外面に沿って立ち上った爪部を有し、本体外面と前記爪部とでＳバネの端部を挿入しうる湾入部を形成したものとする。
【０００９】
または、前記フック本体の係止部を、本体の間隔部の一方の縁に連続し、本体の外面に沿って立ち上がり、その先端部が外方向に曲がり、その曲がり部内面にＳバネの端部を嵌合させて係止可能とする鋼製とする。
【００１０】
または、前記フック本体の係止部を、本体の間隔部の一方の縁部外面に該間隔部の縁に平行の突部を設け、該突部に前記縁に平行の貫通孔を設けてなり、該貫通孔にＳバネの端部を挿入することを可能とする鋼製とする。
【００１１】
本体内面の突部を、本体の間隔部の、係止部を設けた側の縁との間の円弧の長さが、他方の縁との間の円弧の長さより短い位置に設け、本体の軸線方向に突出させるのが好ましい。
【００１２】
【発明の実施の形態】
この発明の実施の形態を図面により説明する。
鋼線またはプラスチック線よりなる複数のＳ字バネ１を平行にして１または複数の中張２で組み合わせてなる組バネ３を形成する。
【００１３】
組バネ３をフレーム４に取付けるフック１１はプラスチックよりなり、フレーム４を抱持する本体１２と、Ｓ字バネ１の端部を係止する爪部１３と、フレーム４の孔に挿入する本体１２の内面に設けた係止用の突部１４とよりなる。
【００１４】
本体１２は筒体を横にして下部を軸線に沿って、すなわち軸線に平行に、削いで間隔部１５を設けたＣを下に向けた形状で、爪部１３は間隔部１５の一方の縁部に連続し、図２に示すように、上方へ（図において）反転させてＳ字バネ１の端部を抱持できる湾入部１６を形成する。
本体１２の内面には１または２個の突部１４を設ける。
突部１４は、間隔部１５の中心を直角に通る線よりも少し爪部１３側に片寄り本体の中心軸方向に突出するのが好ましい。
すなわち、図３に示すように、本体１２の間隔部１５の縁で、爪部側の縁１２ａと突部１４との間の円弧の長さは、縁１２ａと対向する縁１２ｂと突部１４との間の円弧の長さよりも短くするのが好ましい。
【００１５】
間隔部１５の幅は、フレーム４の直径よりも少し狭く、本体１２をフレーム４に押しつけると、本体１２の弾性で間隔が拡がってフレーム４が本体１２内に嵌入し、再び弾性で間隔が元に帰り、本体１２がフレーム４を抱持する。
【００１６】
フレーム４には、フック１１の突部１４を挿入または嵌入しうる孔（図示省略）を設ける。
【００１７】
このフック１１は次のように使用する。
すなわち、組バネ３のＳバネ１の両端部のそれぞれを２つのフック１１のそれぞれの湾入部１６に挿入し、先ず一方のフック１１の間隔部１５をフレーム４に対向させた後フック１１をフレーム４に押しつけると、フレーム４が本体１２内に嵌合し、多少フック１１を滑らせることにより突部１４をフレーム４の孔に対向させ、フック１１を押すと突部１４はフレーム４の孔に挿入または嵌入し、フック１１の本体１２がフレーム４を抱持して固定する。
【００１８】
次いで、もう一方のＳバネ１の端部を係止したフック１１を少々引っ張ってＳバネ１を伸ばし気味にしてフック１１の本体１２の間隔部１５を、先にもう一方のフック１１を取付けたフレーム４の対向する辺に対向させて本体１２をフレーム４に押しつけるとフレーム４が本体１２内に嵌合し、先と同様の要領で突部１４をフレーム４の孔に挿入または嵌入させる。フック１１の本体１２がフレーム４を抱持して固定する。
Ｓバネ１は弾力で少々縮もうとするので、Ｓバネ１は２つのフック１１を引き、Ｓバネ１がフック１１を介してフレーム４に強固に、かつ、弾力的に支持される。
【００１９】
次いで、組バネ３の複数のＳバネ１を上記の手順で順次フック１１を介してフレーム４に係止して、座席等のクッションを構成する。
【００２０】
組バネ取付用フックの他の実施の形態を図５に示す。
フック１１ａの本体の構成は、先の実施の形態のフックの本体１２と同じで、本体１２の内面に、同様に突部１４を設ける。
Ｓバネ１の端部の係止部の爪部１３による湾入部１６は、爪部１３が反転して出来る上方向に開いたものであるが、フック１１ａにおいては、爪部１３ａが上方から下向きに曲がり、湾入部１６ａはその曲がりの内面にあり、下方向に開いたものである。
【００２１】
このフック１１ａの使用は、組バネ３のＳバネ１の両端部のそれぞれを２つのフック１１ａそれぞれの湾入部１６ａに挿入し、その後はフック１１について先に説明したのと同じ要領で組バネ３の複数のＳバネ１を順次フック１１ａを介してフレーム４に係止して、座席等のクッションを構成する。
【００２２】
組バネ取付用フックの他の実施の形態を図６に示す。
フック１１ｂの本体の構成は先の実施の形態のフック本体１２と同じで、本体１２の内面に同様に突部１４を設ける。
Ｓバネ１の端部係止部の爪部１３の代わりに、本体１２の外面で爪部１３と同じ位置に、本体１２の中心軸に沿って、即ち、平行に、長手の突部１３ｂを設け、その突部１３ｂ内に、縁１２ａに平行の貫通孔１６ｂを設ける。貫通孔１６ｂの直径は、Ｓバネ１の端部を挿入しうる大きさとする。
【００２３】
このフック１１ｂの使用も、組バネ３のＳバネ１の両端部のそれぞれを２つのフック１１ｂのそれぞれの貫通孔１６ｂに挿入し、その後はフック１１について先に説明したのと同じ要領で、組バネ３の複数のＳバネ１を順次フック１１ｂを介してフレーム４に係止し、座席等のクッションを構成する。
【００２４】
上記各フックの本体１２の突部１４の位置は、図４に示す突部１４ａのように、１２ａと突部１４ａとの間の円弧の長さが、１２ｂと突部１４ａとの間の円弧の長さと等しくてもよいが、この長さが等しいと、Ｓバネ１に負荷（体重）がかかると、本体に爪部１３方向への力がかかり爪部１３方向へ回動しようとし、突部１４ａがフレーム４の孔から抜けてフックがフレーム４から外れるおそれがある。
【００２５】
そこで、図３に示すように、１２ｂと突部１４との間の円弧の長さを、１２ａと突部１４との間の円弧の長さよりも長くする。すなわち、突部１４の位置を少し爪部１３、１３ａ、突部１３ｂ寄りにする。そして、突部１４を軸線方向に向ける。
【００２６】
この構成により組バネ３に負荷がかかって、本体１２のＳバネ端部の係止部、すなわち、爪部１３、１３ａまたは突部１３ｂ方向へ回動しようとする力がかかっても、突部１４は斜めに軸線方向に向いているので、突部１４に軸線方向へ力が加わり、突部１４が抜けず、フック１１がフレームより脱落しない。
【００２７】
【発明の効果】
この発明に係るフックは、合成樹脂製で、フレームやＳバネとは面接触しているので摩擦係数が小さく接触部が滑らかで、かつ、音鳴りがしない。
また、合成樹脂製であるので、腐食や錆の発生がなく、摩擦係数も小さいので耐久性に優れている。
更に、座席等のクッションのフレームへの装着は、押すことによる一動作で行うことが出来、装着が簡単である。
フック本体の突部の位置を爪部側に寄せたフックは、クッションの組バネに負荷がかかっても、突部が抜けず、フックがフレームより脱落せず、フレームと組バネとの係合が強固である。
【図面の簡単な説明】
【図１】座席等のクッションの斜視図である。
【図２】フックの斜視図である。
【図３】フックとフレームとの関係説明図である。
【図４】他の実施の形態の形態のフックとフレームとの関係説明図である。
【図５】他の実施の形態のフックの斜視図である。
【図６】他の実施の形態のフックの斜視図である。
【図７】従来の座席等のクッションの斜視図である。
【図８】フックの斜視図である。
【図９】従来のフックとフレームとの関係説明図である。
【符号の説明】
１  Ｓバネ
２  中張
３  組バネ
４  フレーム
５  ダブルフック
６  中央部
７  曲部
８  平行部
９  フック部
１０  孔
１１  フック
１２  本体
１３  爪部
１４、１４ａ  突部
１５  間隔部
１６  湾入部
【図１】
0003926995.tif 000002
【図２】
0003926995.tif 000003
【図３】
0003926995.tif 000004
【図４】
0003926995.tif 000005
【図５】
0003926995.tif 000006
【図６】
0003926995.tif 000007
【図７】
0003926995.tif 000008
【図８】
0003926995.tif 000009
【図９】
0003926995.tif 000010